(57)【要約】【課題】  より多くの種類の食器類を配置できるようにする。【解決手段】  トレー４３を食器かご１７に、向きを変えることによって高さ位置変更可能に設ける。食器かご１７におけるトレー４３の高さ位置を変更することにより、その上に、あるいはその下に背丈の異なる食器類を配置できるようになり、より多くの種類の食器類を配置できて洗浄できる。又、この場合、トレー４３は，向きを変えるだけで、食器かご１７における高さ位置の変更ができるので、その変更操作が容易で、取扱い性（使い勝手）に優れる。【選択図】  図１
2005118210.tif 000002
【特許請求の範囲】
【請求項１】
洗浄槽と、
この洗浄槽の内部に食器類を配置する食器かご並びにトレーと、
前記洗浄槽の内部に配置された食器類を洗浄する洗浄機構とを具備し、
前記トレーを前記食器かごに、向きを変えることによって高さ位置変更可能に設けたことを特徴とする食器洗浄機。
【請求項２】
食器かごが上下２段に設けられ、その上段の食器かごが段違いに形成されていて、その高い側の底部が開口し、そこにトレーが着脱可能に設けられていることを特徴とする請求項１記載の食器洗浄機。
【請求項３】
トレーが、向きを示す表示部を有することを特徴とする請求項１記載の食器洗浄機。
【請求項４】
洗浄槽と、
この洗浄槽の内部に食器類を配置する食器かご並びにトレーと、
前記洗浄槽の内部に配置された食器類を洗浄する洗浄機構とを具備し、
前記トレーを、深さを異ならせて複数設け、その複数のトレーを前記食器かごに配置転換可能に設けたことを特徴とする食器洗浄機。
【発明の詳細な説明】
【技術分野】
【０００１】
本発明は、食器かごにトレーを有する食器洗浄機に関する。
【背景技術】
【０００２】
従来より、食器洗浄機においては、食器類が食器かごによって洗浄槽の内部に配置され、この配置された食器類を、ポンプや噴水アーム等から成る洗浄機構により洗浄するようになっている。
この場合、食器かごは、できるだけ多くの数の食器類を収納でき、且つそれが確実に洗浄できて、更に使い勝手が良いことが求められている。特に、機体をキッチンの流し台の上に設置して使用するコンパクトタイプの食器洗浄機においては、小スペースの条件下で、食器類を効率良く配置できることが強く望まれている。
【０００３】
そこで、例えば食器かごの片側の上方部に、棚を跳ね上げ式に設け、この棚を必要に応じ展開させてコップ、湯飲み等の食器類を載置することにより、より多くの数の食器類の洗浄を可能にしたものが供されている。
【特許文献１】特開２００１−２３１７３７号公報
【発明の開示】
【発明が解決しようとする課題】
【０００４】
しかしながら、上述のごとくしたものにおいても、展開させた棚の上に載置できる食器類は、その棚の上方（例えば洗浄槽天井との間）のスペースの制約から限られてしまい、より多くの種類の食器類を配置できないという問題点を有していた。又、その展開させた棚の下方に配置する食器類も、棚の高さ位置によって、配置できるものが限られてしまい、従って、この場合も、より多くの種類の食器類を配置できないという問題点を有していた。
【０００５】
本発明は上述の事情に鑑みてなされたものであり、従ってその目的は、より多くの種類の食器類を配置できる食器洗浄機を提供するにある。
【課題を解決するための手段】
【０００６】
上記目的を達成するために、本発明の食器洗浄機においては、第１に、洗浄槽と、この洗浄槽の内部に食器類を配置する食器かご並びにトレーと、前記洗浄槽の内部に配置された食器類を洗浄する洗浄機構とを具備し、前記トレーを前記食器かごに、向きを変えることによって高さ位置変更可能に設けたことを特徴とする（請求項１の発明）。
本発明の食器洗浄機においては、第２に、洗浄槽と、この洗浄槽の内部に食器類を配置する食器かご並びにトレーと、前記洗浄槽の内部に配置された食器類を洗浄する洗浄機構とを具備し、前記トレーを、深さを異ならせて複数設け、その複数のトレーを前記食器かごに配置転換可能に設けたことを特徴とする（請求項４の発明）。
【発明の効果】
【０００７】
上記第１の手段（請求項１の発明）によれば、食器かごにおけるトレーの高さ位置を変更することにより、トレーの上に、あるいはトレーの下に背丈の異なる食器類を配置できるようになり、より多くの種類の食器類を配置できて洗浄できるようになる。又、この場合、トレーは、向きを変えるだけで、食器かごにおける高さ位置の変更ができるので、その変更操作が容易で、取扱い性（使い勝手）に優れる。
【０００８】
第２の手段（請求項４の発明）によれば、深さの異なる複数のトレーの、食器かごにおける配置を転換することにより、上述同様、背丈の異なる種々の食器類の、トレーの上下における配置が適切にできるようになり、より多くの種類の食器類を配置できるようになる。又、この場合、トレーは、配置を転換するだけで、食器かごにおける食器類配置の変更ができるので、その変更操作が容易で、取扱い性（使い勝手）に優れる。
【発明を実施するための最良の形態】
【０００９】
以下、本発明の第１実施例（第１の実施形態）につき、図１ないし図１０を参照して説明する。
まず、図２には、食器洗浄機の本体１と、これの前面部に設けた扉２、及び操作パネル３を示している。扉２は、この場合、下扉２ａと、上扉２ｂから成っており、そのうちの下扉２ａに、取手４と、ロック解除ボタン５とを設けていて、使用者が取手４を持ち、ロック解除ボタン５を押して、取手４を手前に引けば、下扉２ａが下方に回動して開き、それに連動して上扉２ｂが上方に回動して開くようになっている。
【００１０】
操作パネル３は、後述する食器洗浄機の運転全般に係る操作を使用者がするためのもので、各種操作キー６を有している。この操作パネル３の裏側には、図３に示すように、例えばマイクロコンピュータから成る制御装置７を配設しており、この制御装置７によって、上記操作パネル３の操作に基づく食器洗浄機の運転全般を制御するようにしている。
本体１は、外箱８を外殻とし、これの内部に洗浄槽９を配設している。洗浄槽９は前面が食器出入口１０として開口しており、その食器出入口１０を前記扉２（下扉２ａ、上扉２ｂ）で開閉するようにしている。なお、図３には、下扉２ａと上扉２ｂのそれぞれ回動軸１１，１２をも示している。
【００１１】
洗浄槽９内には、底部に例えばシーズ線から成るヒータ１３を配設しており、これの上方に、噴射体としての噴水アーム１４を、パイプ状のアーム支え１５により回転可能に接続支持して配設している。更に、洗浄槽９内の噴水アーム１４より上方の部分には、食器かご１６，１７を配設している。そのうち、食器かご１６は下段の食器かご、食器かご１７は上段の食器かごであり、すなわち、本構成のものの場合、上下２段に食器かご１６，１７を設けている。これらの食器かご１６，１７は、洗浄槽９内に食器類を配置するためのものであり、その詳細は後に詳述する。
【００１２】
洗浄槽９の背部には給水弁１８を取付けており、この給水弁１８には図示しない水道に通じる給水管１９を接続している。洗浄槽９の外下方部には、洗浄ポンプ２０と、排水ポンプ２１、及びこれらを駆動する共通のポンプモータ２２を配設している。ポンプモータ２２は、例えば時計回りの正転及び反時計回りの逆転の両方向に回転可能で、その正転により洗浄ポンプ２０を駆動し（このとき、排水ポンプ２１は機能しない）、逆転によって排水ポンプ２１を駆動する（このとき、洗浄ポンプ２０は機能しない）ようになっている。
【００１３】
このほか、洗浄槽９の外下方部には、洗浄槽９内と連通する貯水タンク２３を設けると共に、この貯水タンク２３と洗浄ポンプ２０の吸込口とを接続する接続管２４、及び貯水タンク２３と排水ポンプ２１の吸込口とを接続する接続管２５を設けている。又、洗浄ポンプ２０の吐出口は前記アーム支え１５に接続し、ひいては前記噴水アーム１４に接続しており、排水ポンプ２１の吐出口には排水ホース２６を接続している。
【００１４】
この構成により、前記水道から給水管１９及び給水弁１８を介し供給されて貯水タンク２３内から洗浄槽９内の下部に貯留された洗浄水が、洗浄ポンプ２０により、貯水タンク２３内から接続管２４を通じて吸入され、アーム支え１５を通じて噴水アーム１４に圧送される。この圧送された洗浄水は、噴水アーム１４が上部に有する複数の噴水口２４ａからそれぞれ噴出されるものであり、その噴水の反動によって噴水アーム１４は回転もする。
【００１５】
かくして、洗浄水が洗浄槽９内に満遍なく噴射され、前記食器かご１６，１７によって洗浄槽９内に配置された食器類の洗浄、すすぎが行われる。従って、洗浄ポンプ２０と噴水アーム１４は、洗浄槽９内に配置された食器類を洗浄する洗浄機構２７を構成するものである。
なお、排水ポンプ２１は、洗浄槽９内の洗浄水を、排水時に貯水タンク２３内から接続管２５を通じて吸入し、そして、排水ホース２６を通じて機外に排出するようになっている。
【００１６】
又、洗浄槽９の背部には送風装置２８をも設けており、この送風装置２８は、前記食器類の洗浄、すすぎを行った後の乾燥時に、外気を吸入し、それをダクト２９を通じて洗浄槽９の下部から内部に送り込むようになっている。又、その乾燥時には洗浄槽９内の空気が前記ヒータ１３により加熱されて温風化されるようになっており、前記洗浄、すすぎ時には洗浄槽９内の洗浄水が同じくヒータ１３により加熱されて温水化されるようになっている。しかして、前記扉２（上扉２ｂ）には、洗浄槽９内からの排気、特には上記乾燥時の水蒸気の排出をするための排気口３０を、図２に示すように設けている。
【００１７】
更に、洗浄槽９の背部の下部には図３に示す水位検知装置３１を設けており、この水位検知装置３１は、図示しない接続管により貯水タンク２３内と連通し、ひいては洗浄槽９内と連通していて、洗浄槽９内の前記洗浄水の水位を検知するようになっている。
【００１８】
ここで、前記食器かご１６，１７について詳述する。
食器かご１６，１７は、いずれもワイヤを溶接により組んで塗装することにより構成したものであり、そのうちの下段の食器かご１６は、浅底の直方体容器状を成すベース部１６ａに、逆ハ字状を成す２種類の食器支え１６ｂ，１６ｃを底部から多数立設して成る。
【００１９】
このうち、食器支え１６ｂは、茶碗やどんぶり鉢大の食器類を配置するに適するものであり、ベース部１６ａの左側（図４参照）で食器支え１６ｂより短い食器支え１６ｂ´と交互に左右に並べ前後２列に設けている（図３参照）。又、食器支え１６ｃは、大皿や中皿大の食器類を配置するに適するものであり、従って上記食器支え１６ｂより長く（高く）、ベース部１６ａの右側（図４参照）の前後中間部で同じく左右に並べ１列に設けている（図３参照）。
【００２０】
そのほか、下段の食器かご１６の上記食器支え１６ｂ，１６ｃ間には、角筒形容器状の小物入れ３２を設けている。
そして、この下段の食器かご１６は、ベース部１６ａの左右両外側部にスライド用部材３３を有しており、このスライド用部材３３が洗浄槽９内の両側面下部に形成したレール３４上をスライドする引出し方式にて、前記食器出入口１０を通じ出し入れされるようにしている。
【００２１】
これに対して、上段の食器かご１７は、図１に示すように、段違い、特には左右が段違いの直方体容器状を成すもので、この場合、左側部１７ａが右側部１７ｂよりも低くて深底となっている。又、その低い側の左側部１７ａが底部３５を有するのに対して、高い側の右側部１７ｂは底部を有さず開口３６しており、更に、その両部１７ａ，１７ｂの境界部分には仕切部３７を有し、従って、高い側の右側部１７ｂは矩形のほゞ枠構成のみとなっている。
【００２２】
そして更に、右側部１７ｂの内周部には、上段受け３８と、中段受け３９，４０、及び下段受け４１，４２を設けている。このうち、上段受け３８は、右側部１７ｂの右側辺部に１本の直線状ワイヤを前記仕切部３７と同じ高さで平行に渡し固着することによって設けたものであり、仕切部３７はこの上段受け３８と対をなす他方の上段受けとして機能するようになっている。
【００２３】
中段受け３９は、右側部１７ｂの前辺部の内側の左右両側部に２本のＬ字状ワイヤを逆ハ字状に固着することによって設けたものであり、又、中段受け４０は、右側部１７ｂの後辺部の内側の中間部に同じく２本のＬ字状ワイヤをほゞ直角に固着することによって設けたもので、上段受け３８（仕切部３７）よりこれら中段受け３９，４０が低く位置している。
【００２４】
下段受け４１，４２は、右側部１７ｂの左右の両側辺部に２本のＵ字状ワイヤを前記仕切部３７及び上段受け３８より低い高さで平行に渡し固着することによって設けたもので、この下段受け４１，４２は中段受け３９，４０より更に低く位置している。
【００２５】
これらに対して、４３はトレーを示しており、このトレー４３は例えばプラスチックの成形品であって、上記上段の食器かご１７の右側部１７ｂに着脱可能に収納される大きさの浅底な直方体容器状を成し、その底部は例えば格子構成による多孔状で、そのほか、食器類支えとして機能する多数の突起４４，４５を底部に有している。又、このトレー４３の隣り合う２つの角部には、面取り部４６，４７を形成し、更に、その１つの面取り部４６と隣接する一辺部の下縁には、突壁４８を設けている。加えて、このトレー４３の面取り部４６，４７間の一辺部の中央底面には、表示部４９を設けている。この表示部４９は、この場合、矢尻形状の孔にて、尖端４９ａがトレー４３の外方を指向し、それによって、トレー４３の向きを示すようになっている。
【００２６】
そして、上段の食器かご１７に対しては、その全体の左右両外側部にスライド用部材５０を取付けている。このスライド用部材５０は、外側に溝５１を上下複数段（この場合、４段）に有しており、この溝５１のいずれかを選択して、前記洗浄槽９内の両側面上部に形成したレール５２（図４参照）に嵌合することにより、該スライド用部材５０がレール５２上をスライドする引出し方式にて、上段の食器かご１７が前記食器出入口１０を通じ出し入れされるようにしている。
なお、レール５２に対するスライド用部材５０の溝５１の嵌合位置は変更が可能で、その嵌合位置を変えることにより、上段の食は器かご１７は高さ位置を変更可能としている。
【００２７】
次に、上記構成のものの食器の配置について詳述する。
まず、上段の食器かご１７に対し、トレー４３を、図５に示すように表示部４９が右側方を指向する右横向きにした状態で、上段の食器かご１７の右側部１７ｂに上方より置けば、図６に示すように、突壁４８が仕切部３７と上段受け３８との間に挿入されつつ、トレー４３のこのときの左側辺部付近が仕切部３７に載置され、トレー４３のこのときの右側辺部が上段受け３８に載置されて、トレー４３は上段の高さ位置にセットされる。
このとき、仕切部３７と上段受け３８との間に位置された突壁４８は、上段の食器かご１７の右側部１７ｂにおけるトレー４３の左右及び前方への動きを制するストッパとして機能するようになっている。
【００２８】
これに対して、トレー４３を、図７に示すように表示部４９が後方を指向する後向きにした状態で、上段の食器かご１７の右側部１７ｂに上方より置けば、図８に示すように、トレー４３のこのときの前辺部が中段受け３９に載置され、トレー４３のこのときの後辺部が中段受け４０に載置されて、トレー４３は上述よりも低い中段の高さ位置にセットされる。
【００２９】
そして、トレー４３を、図９に示すように表示部４９が前方を指向する前向きにした状態で、上段の食器かご１７の右側部１７ｂに上方より（中段受け３９，４０を交互に避けつつ）置けば、図４に示すように、トレー４３のこのときの左側辺部が下段受け４１に載置され、トレー４３のこのときの右側部が下段受け４２に載置されて、トレー４３は上述よりも更に低い下段の高さ位置にセットされる。
【００３０】
しかして、図４に示す例では、下段の食器かご１６の食器支え１６ｂ，１６ｂ´間に茶碗５３を複数個配置しており、食器支え１６ｃ間に中皿５４を複数枚配置すると共に、小皿５５を１枚配置している。なお、これらの食器支え１６ｂ，１６ｂ´と食器支え１６ｃとに対する食器の配置は、食器支え１６ｂ，１６ｂ´と食器支え１６ｃの各間に食器を差し込むことによって行っている。又、この場合、小物入れ３２には、スプーン５６と箸５７とを差し込んでいる。
【００３１】
更に、この場合、上段の食器かご１７は、スライド用部材５０の最上段の溝５１をレール５２に嵌合することにより、高さ位置を最も低くしており、この上段の食器かご１７の左側部１７ａの上には、鍋５８を配置している。
そして、この上段の食器かご１７の右側部１７ｂに、トレー４３を下段の高さ位置にセットしているのは既述のごとくで、この下段の高さ位置にセットしたトレー４３の上には、比較的背丈の高いコップ５９を複数個配置している。
【００３２】
これに対して、トレー４３を中段の高さ位置にセットした状態（図８）では、トレー４３の上には、上述のコップ５９より背丈の低いコップや湯飲み等を配置することができ、一方、トレー４３の下方（下段の食器かご１６の食器支え１６ｃと小物入れ３２）には、前述の中皿５４やスプーン５６及び箸５７より背丈の大きい食器類を配置することができる。
【００３３】
更に、トレー４３を上段の高さ位置にセットした状態（図６）では、該トレー４３の上には、上述のコップや湯飲み等よりも更に背丈の低い食器類を配置することができ、トレー４３の下方には、上述の食器類より更に背丈の大きい食器類を配置することができる。
【００３４】
このように本構成のものでは、食器かご１７におけるトレー４３の高さ位置を変更することにより、その上に、あるいはその下に背丈の異なる食器類を配置できるもので、より多くの種類の食器類を配置できて洗浄できる。又、この場合、トレー４３は、向きを変えるだけで、食器かご１７における高さ位置の変更ができるので、その変更操作が容易で、取扱い性（使い勝手）に優れる。
【００３５】
更に、その場合、トレー４３はその向きを示す表示部４９を有しており、これによって、トレー４３の高さ位置の変更のための向きの変更がより簡単且つ確実にできる。
加えて、本構成のものの場合、食器かごは食器かご１７と食器かご１６とで上下２段に設け、その上段の食器かご１７を段違いに形成していて、その高い側（右側部１７ｂ）の底部が開口３６し、そこにトレー４３を着脱可能に設けている。これにより、トレー４３を取外したときには、上段の食器かご１７の高い側（右側部１７ｂ）において下段の食器かご１６の上方に、より高さの大きな配列スペースを生じさせることができ、そこに、前述の食器類より更に背丈の大きい食器類を配置することができる。
【００３６】
なお、特に本構成のものの場合、上段の食器かご１７自体も、洗浄槽９に高さ位置変更可能に設けており、これによって、上段の食器かご１７の上または下方における食器類の配置がその各大きさに合わせてできるようになる。その一例として、図１０は、スライド用部材５０の最下段の溝５１をレール５２に嵌合することにより、上段の食器かご１７を最も低い位置にセットした状態を示しており、この上段の食器かご１７の左側部１７ａの上にはコップ６０を配置しており、下方（下段の食器かご１６の食器支え１６ｂ，１６ｂ´間）には前述の茶碗５３より背丈の大きなどんぶり鉢６１を配置している。
【００３７】
更に、この場合、上段の食器かご１７の右側部１７ｂからはトレー４３を取外しており、このトレー４３を取外した上段の食器かご１７の右側部１７ｂの下方（小物入れ３２内と下段の食器かご１６の食器支え１６ｃ部分）には、背丈のかなり大きいお玉杓子６２や、菜箸６３、及び麦茶ボトル６４を配置している。又、上段の食器かご１７の右側のスライド用部材５０の下方（下段の食器かご１６の最右側部）には、大皿６５を配置している。
【００３８】
以上に対して、図１１及び図１２は本発明の第２実施例（第２の実施形態）を示すもので、上記第１実施例と同一の部分には同一の符号を付して説明を省略し、異なる部分についてのみ述べる。
このものの場合、トレー７１、７２を、前述のトレー４３に代えて、深さをＤ1 とＤ2とに異ならせて複数（この場合、２つ）設けている。又、このトレー７１、７２には、ともに後部に、矢尻形状の突起にてトレー７１，７２の各向きを示す表示部７３，７４を設けている。
【００３９】
一方、食器かご（例えば上段の食器かご）７５は、前述の上段の食器かご１７に代えて、トレー７１，７２が取付く部分を平坦に形成すると共に、それを左右に二分する仕切部７５ａを設けている。
そして、その食器かご７５の仕切部７５ａと周囲のフレーム部７５ｂの各内方にトレー７１、７２をそれぞれ挿入して、該トレー７１、７２のフランジ部７１ａ，７１ｂを仕切部７５ａとフレーム部７５ｂに載置することにより、トレー７１、７２を食器かご７５にセットする。
【００４０】
この場合、トレー７１、７２は、図１２に示すように、その左右の配置を転換して食器かご７５にセットすることが可能なものであり、かくして、トレー７１、７２を食器かご７５に配置転換可能、特には相互に配置転換可能に設けている。
【００４１】
従って、このものの場合には、深さのＤ1 ，Ｄ2 に異なる複数のトレー７１，７２の、食器かご７５における配置を転換することにより、前述同様、背丈の異なる種々の食器類の、トレー７１，７２のそれぞれ上下における配置が適切にできるようになり、より多くの種類の食器類を配置できるようになる。又、この場合、トレー７１，７２は、配置を転換するだけで、食器かご７５における食器類配置の変更ができるので、その変更操作が容易で、取扱い性（使い勝手）に優れる。
【００４２】
このほか、本発明は上記し且つ図面に示した実施例にのみ限定されるものではなく、例えば食器かごは基本的には上段のものと下段のものとが一体になっているものでも良く、又、トレー４３の周囲を食器かご１７で囲うようにすれば、トレー４３自体は平坦であっても良いなど、要旨を逸脱しない範囲内で適宜変更して実施し得る。
【図面の簡単な説明】
【００４３】
【図１】本発明の第１実施例を示す主要部分の分解斜視図
【図２】全体の外観斜視図
【図３】全体の縦断側面図
【図４】全体の扉を取外した状態における正面図
【図５】主要部分のトレーセット状態その１における平面図
【図６】主要部分のトレーセット状態その１における部分正面図
【図７】主要部分のトレーセット状態その２における平面図
【図８】主要部分のトレーセット状態その２における部分正面図
【図９】主要部分のトレーセット状態その３における平面図
【図１０】全体のトレー取外し状態における図４相当図
【図１１】本発明の第２実施例を示す図１相当図
【図１２】トレーの配置を転換した状態における主要部分の分解斜視図
【符号の説明】
【００４４】
図面中、９は洗浄槽、１６は下段の食器かご、１７は上段の食器かご、１７ｂは食器かごの高い側、２７は洗浄機構、３６は開口、４３はトレー、４９は表示部、７１，７２はトレー、７３は食器かご、Ｄ1 ，Ｄ2 は各トレーの深さを示す。
【図１】
2005118210.tif 000003
【図２】
2005118210.tif 000004
【図３】
2005118210.tif 000005
【図４】
2005118210.tif 000006
【図５】
2005118210.tif 000007
【図６】
2005118210.tif 000008
【図７】
2005118210.tif 000009
【図８】
2005118210.tif 000010
【図９】
2005118210.tif 000011
【図１０】
2005118210.tif 000012
【図１１】
2005118210.tif 000013
【図１２】
2005118210.tif 000014